(57)【要約】【課題】テンプレートデータを用いたサービスを提供する場合、例えば、テンプレートデータと画像データを合成した合成画像に基づいて写真プリントの注文を行う場合、国や地域等により多様なテンプレートを提供でき、また、プリント注文システム等のサービスを提供する側のテンプレート作成にかかる負担を低減可能なテンプレート投稿システムを提供する。【解決手段】店頭に設置される受付端末１を介してテンプレート用データの投稿を受け付けるテンプレート投稿システムであって、テンプレート用データの投稿を受け付け可能なモードに設定するためのモード設定部１１と、投稿されたテンプレート用データが保存されるテンプレート保存部１２ｂと、テンプレート用データをサービス提供のために処理するテンプレートデータ加工部２２と、を備えている。【選択図】図３
2011209922.tif 000002
【特許請求の範囲】
【請求項１】
店頭に設置される受付端末を介してテンプレート用データの投稿を受け付けるテンプレート投稿システムであって、
テンプレート用データの投稿を受け付け可能なモードに設定するためのモード設定部と、
前記投稿されたテンプレート用データが保存されるテンプレート保存部と、
前記テンプレート用データをサービス提供のために処理するテンプレートデータ処理部と、を備えているテンプレート投稿システム。
【請求項２】
投稿された前記テンプレート用データを保存する専用のフォルダが設けられていることを特徴とする請求項１に記載のテンプレート投稿システム。
【請求項３】
投稿された前記テンプレート用データの利用に応じた利用料の要否を設定するための利用料要否設定部が設けられていることを特徴とする請求項１又は２に記載のテンプレート投稿システム。
【請求項４】
前記利用料を要求する、と設定した場合に、識別情報を付与する識別情報付与部が設けられていることを特徴とする請求項３に記載のテンプレート投稿システム。
【請求項５】
前記投稿されたテンプレート用データが前記サービス提供に利用された回数をカウントする利用回数カウント部を備えていることを特徴とする請求項３又は４に記載のテンプレート投稿システム。
【発明の詳細な説明】
【技術分野】
【０００１】
本発明は、店頭に設置される受付端末を介してテンプレート用データの投稿を受け付けるテンプレート投稿システムに関するものである。
【背景技術】
【０００２】
写真プリントの注文の一形態として、店頭に設置された受付端末を介してプリント注文を行うことが可能な写真プリント注文システムが知られている（例えば、下記特許文献１）。プリント注文を行いたい注文者は、写真店を訪問し受付端末を自分で操作してプリント注文を行うことができる。また、写真プリントを作成する場合に、テンプレートデータに画像データを嵌め込み合成した合成画像に基づいて写真プリントを作成する場合もある。例えば、年賀状プリント、記念プリント、名刺プリント、カレンダー等は、テンプレートデータに画像データを嵌め込み合成することで作成される。
【先行技術文献】
【特許文献】
【０００３】
【特許文献１】特開２００８−０１４９７２公報
【発明の概要】
【発明が解決しようとする課題】
【０００４】
テンプレートデータとの画像合成を行う場合、当該テンプレートデータは、写真プリント注文システムを提供する会社で予め用意したものの中から選択させるようにしている。
【０００５】
一方、プリント注文の受け付けは、特定の場所に限定されるものではなく、いろいろな地域、国などで上記の写真プリント注文システムを構築することができる。したがって、多様な地域や国の人が利用することが考えられる。かかる場合に、すべてのテンプレートを写真店側でデザインし、予め用意しておくことは難しい。地域や国により、テンプレートのデザインに好みがあったり、また、文化的な問題等で受け入れができるデザイン、できないデザイン等が存在する。
【０００６】
さらに、テンプレートデータの中にはフォトブック用のように複数ページ分を用意しなければならないものなどがあり、やはり多様なデザインを用意しておくには写真店側においても時間とコストの負担が非常に大きい。
【０００７】
本発明は上記実情に鑑みてなされたものであり、その課題は、テンプレートデータを用いたサービスを提供する場合、例えば、テンプレートデータと画像データを合成した合成画像に基づいて写真プリントの注文を行う場合、国や地域等により多様なテンプレートを提供でき、また、プリント注文システム等のサービスを提供する側のテンプレート作成にかかる負担を低減可能なテンプレート投稿システムを提供することである。
【課題を解決するための手段】
【０００８】
上記課題を解決するため本発明に係るテンプレート投稿システムは、
店頭に設置される受付端末を介してテンプレート用データの投稿を受け付けるテンプレート投稿システムであって、
テンプレート用データの投稿を受け付け可能なモードに設定するためのモード設定部と、
前記投稿されたテンプレート用データが保存されるテンプレート保存部と、
前記テンプレート用データをサービス提供のために処理するテンプレートデータ処理部と、を備えていることを特徴とするものである。
【０００９】
かかる構成によるテンプレート投稿システムの作用・効果について説明する。このテンプレート投稿システムは、店頭に設置される受付端末を介して、テンプレート用データの投稿を受け付けるものである。かかる受付端末は、通常はプリント注文を受け付ける目的で設けられるものであるが、テンプレート用データの投稿を受け付けるモードに設定できるようになっている。ここで、テンプレート用データとは、テンプレートとして加工済みのデータ（テンプレートデータ）でもよいし、テンプレートとして加工される前のデータ（例えば、単なる画像データ）であってもよい。加工される前のデータであれば、写真店の側でテンプレートデータに加工される。受付端末を介して入力されたテンプレート用データは、テンプレート保存部に保存される。テンプレートデータは、例えば、写真店が提供するパンフレット（サービスの案内をするもの）に印刷される。なお、サービス提供がプリント作成である場合、プリント対象は、ペーパー（通常の写真プリント）、Ｔシャツ、マグカップ等である。テンプレートデータ処理部は、これらのサービス提供のためにテンプレートデータの処理、例えば、投稿されたテンプレート用データを写真店の仕様にマッチした形態に加工すること、プリント作成のために画像データと合成処理を行うことなどを、を実行する。また、テンプレートデータそのものを商品として販売するような注文処理も考えられる。
【００１０】
以上のようにテンプレートデータは、プリントサービス等のサービスを提供する側で用意するだけではなく、受付端末からの投稿を受け付けることにより用意することもできる。従って、その受付端末が設置される国や地域等の事情に応じたテンプレートデータの提供が可能になると共に、サービスを提供する側のテンプレート作成にかかる負担を低減することができる。
【００１１】
本発明において、投稿された前記テンプレート用データを保存する専用のフォルダが設けられていることが好ましい。
【００１２】
この構成によると、受付端末を介して投稿されたテンプレート用データは、専用のフォルダに保存される。写真店側は、フォルダに格納されたテンプレート用データをモニターに表示させるなどして確認することができ、商品として使用できるか否かなどをチェックすることができる。例えば、公序良俗や著作権に違反していないかなどをチェックすることができる。
【００１３】
本発明において、投稿された前記テンプレート用データの利用に応じた利用料の要否を設定するための利用料要否設定部が設けられていることが好ましい。
【００１４】
テンプレート用データの投稿を受け付ける場合、投稿する者（例えば、デザイナー等）によっては、利用料を期待することも考えられる。また、利用料を要求しない場合もあると考えられる。そこで、利用に応じた利用料の要否を設定するための利用料要否設定部を設けている。投稿者に利用料を提供することで、より優れたテンプレートの創作を期待することができるとともに、より多くの投稿者からのテンプレート用データの投稿も期待することができる。これにより、さらに、サービスを提供する側のテンプレート作成にかかる負担を低減することができる。
【００１５】
本発明において、前記利用料を要求する、と設定した場合に、識別情報を付与する識別情報付与部が設けられていることが好ましい。
【００１６】
識別情報を提供することで、例えば、その人が投稿したテンプレート用データの利用状況を確認させることができる。識別情報は、確認する場合の、ＩＤやパスワードとして機能するものである。
【００１７】
本発明において、前記投稿されたテンプレート用データが前記サービス提供に利用された回数をカウントする利用回数カウント部を備えていることが好ましい。
【００１８】
テンプレート用データを投稿して、そのテンプレートがいろいろな人に利用された場合、例えば、プリントの売り上げに貢献したものと評価できる。また、テンプレートそのものは著作物であるといえる。そこで、プリントの注文等のサービス提供に利用された回数をカウントすることで、利用回数に応じた利用料（金銭だけでなく、有価証券、サービスポイント等も含む）を作成者に供与できるようになる。これにより、更に優れたテンプレートの作成を期待することができる。なお、サービス提供の具体例としては、ペーパー、Ｔシャツ、マグカップ等へのプリント注文、テンプレート自体の販売が例としてあげられる。
【００１９】
本発明において、前記投稿されるテンプレートデータに不正画像が含まれるか否かをチェックし、不正画像が含まれる場合、当該テンプレートデータの投稿を不許可とする投稿可否判断部を備えていることが好ましい。
【００２０】
例えば、テンプレートデータに著作権者の許可を得ていない画像や公序良俗に違反する画像が含まれている場合、これをチェックする機能を設ける。これにより、著作権法等に違反した画像の提供やプリントを未然に防止することができる。
【００２１】
本発明において、前記テンプレートデータは、前記作成者側のコンピュータで画像データの嵌め込み領域が設定されることが好ましい。
【００２２】
テンプレートデータには、テンプレート画像の部分と画像データの嵌め込み領域が必要である。かかる嵌め込み領域の設定は、テンプレートを作成した創作者の意図を反映できるように、創作者の側で設定することが好ましい。これにより、テンプレート投稿システムを提供する側の負担を低減することができる。
【図面の簡単な説明】
【００２３】
【図１】写真店（サービス提供者）に設けられる写真プリント注文システムを示す概略図
【図２】テンプレートの構成例を示す図
【図３】受付端末と管理用コンピュータの主要な機能を示すブロック図
【図４】テンプレート用データを投稿する時の
【図５】テンプレート用データをチェックする時の手順を示すフローチャート
【発明を実施するための形態】
【００２４】
本発明に係るテンプレート投稿システムの好適な実施形態を図面を用いて説明する。図１は、写真店（サービス提供者）に設けられる写真プリント注文システムを示す概略図であり、このシステム内にテンプレート投稿システムが設けられる。
【００２５】
＜写真プリント注文システムの構成＞
写真店には、１つもしくは複数の受付端末１と、管理用コンピュータ２と、１つもしくは複数のプリンタ３が設けられ、これらは、ＬＡＮ等のネットワークにより接続される。また、インターネットを介してサーバー４とも接続される。
【００２６】
写真店では、プリント注文の受付を行うが、サーバー４を介したオンラインプリント注文と、店頭に設置される受付端末１を介したプリント注文を行うことができる。写真店を訪問した顧客は、受付端末１を自分で操作してプリント注文の手続を行うことができる。例えば、顧客が持参した記録媒体（ＵＳＢメモリ、コンパクトフラッシュ（登録商標）、ＣＤ−Ｒ等）を受付端末１に装着し、画像データの読み込み、画像データの指定、プリント枚数、プリントサイズの設定等を行うことができる。
【００２７】
また、この受付端末１は、テンプレート用データの投稿を受け付けることもできる。本発明において、テンプレート用データとは、テンプレートに加工済みのデータ（テンプレートデータ）と、テンプレートに加工される前のデータ（例えば、単なる画像データ）を含むものである。
【００２８】
テンプレートとは、画像データを嵌め込み合成することで、より付加価値のある写真プリントを作成しようとするものである。例えば、年賀状プリント、カレンダープリント、名刺プリント、などが例としてあげられる。図２（ａ）は、カレンダープリントを作成するときのテンプレートを例示する図である。テンプレートは、テンプレート領域Ｔ１と、画像データをはめ込む嵌め込み領域Ｔ２により構成される。嵌め込み領域Ｔ２は１つだけに限定されるものではなく、２つ以上の画像データをはめ込むことができるようにしてもよい。
【００２９】
図２（ｂ）は、フォトブック作成用に用いられるテンプレートを例示する図である。（ａ）は、１つのテンプレートが１つのテンプレート画像データにより構成されるが、例えば、フォトブックの場合、表紙画像データ、アルバムページの画像データ、裏表紙画像データの複数のテンプレート画像データにより、１つのテンプレートデータが構成される。このように、複数のテンプレートデータをまとめた形での投稿も可能である。テンプレート領域Ｔ１や嵌め込み領域Ｔ２も必要に応じて各ページに設定されている。
【００３０】
テンプレートのデザインには、好みがあり、国や地域により差異がある。また、写真店において作成できるデザインにも限度があり、写真店におけるテンプレート作成の手間を削減するために、広く公衆から募集できるような仕組みを提供することが好ましい。例えば、テンプレートのデザインとして、その国や地域の風景や習慣に基づいて作成すれば、そのような国や地域から、あるいは、そのような国や地域に興味のある人からの写真プリントの注文依頼の増加を期待することもできる。また、多様なデザインを有するテンプレートを提供することができ、写真プリントの注文増加をより一層期待できるようになる。
【００３１】
さらに、テンプレートのデザインは、デザイナーにより行われることも多いが、デザイナーとしては自分が創作したテンプレートを評価してほしいという考えがある。かかるデザイナーの中でも、特に、デザイナーの卵にとっては、創作したテンプレートデザインの評価を受ける場を求めているケースもあり、本発明に係るテンプレート投稿システムは、かかるニーズにも応えることができる。
【００３２】
図１に戻り、管理用コンピュータ２は、写真店の中に構築されるネットワークの管理、プリント注文のオーダー管理、投稿されたテンプレート用データのチェック、などを行うものである。また、オーダー処理の指令や、写真プリントを作成するプリンタ３の指定なども行う。
【００３３】
プリンタ３は、従来からある伝統的な湿式のプリンタ、インクジェットのような乾式のプリンタなど、適宜の構造のプリンタを用いることができる。
【００３４】
サーバー４は、インターネット経由でオンラインプリント注文のシステムを提供するために設けられる。プリント注文は、受付端末１からだけでなく、顧客のパソコン（コンピュータ）を介して、オンラインで行うこともできる。また、テンプレートもサーバー４を介して公開され、顧客は、テンプレートを用いたプリント注文も行うことができる。受付端末１を介して投稿されたテンプレートも、写真店側で作成したテンプレートと一緒に公開され、プリント注文の利用に供される。
【００３５】
＜受付端末の機能＞
次に、受付端末１と管理用コンピュータ２の主要な機能について、図３のブロック図により説明する。
【００３６】
受付端末１のデータ入力部１０は、プリント注文やテンプレート用データ投稿のためのデータが入力される。具体的には、顧客が持参してきた記録媒体を装着させることができる。記録媒体は、ＵＳＢメモリ、コンパクトフラッシュ（登録商標）、ＣＤ−Ｒ等の種々のメディアを装着させることができ、各種媒体に格納されたデータをデータ入力部１０を介して取り込むことができる。
【００３７】
モード設定部１１は、プリント注文モードかテンプレート用データ投稿モードかを設定することができる。顧客は、受付端末１のモニター画面を見ながら、モードの設定を行うことができる。プリント注文モードは、ごく一般的なモードであり、受付端末１を介してプリント注文を行うためのモードである。プリント注文モードのときは、プリント注文処理部１２が機能し、画像データ受付部１２ａにより、プリント注文に係る画像データが受け付けられる。テンプレート保存部１２ｂが設けられており、顧客がテンプレートデータを用いたプリント注文を行いたい場合は、このテンプレート保存部１２ｂに格納されているテンプレートデータを利用することができる。
【００３８】
例えば、年賀状プリントやフォトブックを作成したい場合は、テンプレート保存部１２ｂに格納されているテンプレートデータを利用して、プリント注文を行うことができる。これは、データ処理部１２ｃ（テンプレートデータ処理部に相当）の機能に基づいて実行される処理である。データ処理部１２ｃは、例えば、顧客の操作に基づいて、テンプレートデータと画像データの合成処理を行うことができる。これにより、年賀状プリントやフォトブックの注文処理を行うことができる。テンプレート保存部１２ｂには、写真店側で用意したテンプレートデータだけでなく、受付端末１を介して投稿したテンプレートデータも格納される。
【００３９】
テンプレート用データ投稿モードが設定された場合、テンプレート用データ投稿処理部１３が機能する。テンプレート用データ受付部１３ａは、データ入力部１０を介して入力されたテンプレート用データが受け付けられる。利用料要否設定部１３ｂは、テンプレート用データを投稿した投稿者が利用料を要求するか否かを設定するための機能を提供する。投稿者によっては、投稿したテンプレート用データに対しての見返りを利用料として要求する場合がある。投稿者に利用料を提供することで、より優れたテンプレートの創作を期待することができるとともに、創作意欲を高めることができ、より多くの投稿者からのテンプレート用データの投稿も期待することができる。
【００４０】
識別情報付与部１３ｃは、利用料要否設定部１３ｂの機能に基づき、利用料を要求すると設定した場合、その投稿者に対して識別情報が付与される。付与された識別情報は、データ入力部１０に装着された記録媒体に保存してもよいし、後日、写真店からその投稿者のメールアドレスに識別情報を送信したり、識別情報が印刷された書類を後日郵送してもよい。
【００４１】
識別情報を提供することで、例えば、その人が投稿したテンプレート用データの利用状況を確認させることができる。識別情報は、確認する場合の、ＩＤやパスワードとして機能するものである。識別情報として、確認用の専用のＵＲＬを付与し、インターネットでテンプレートの利用状況を確認できるようにしてもよい。
【００４２】
投稿可否判断部１３ｄは、テンプレートデータに不正画像が含まれているか否かをチェックし、不正画像が含まれていれば、テンプレート用データが受け付けられないように処理する。例えば、その旨の表示を受付端末１のモニター画面にさせる。不正画像の例として、著作権者の許可を得ていない画像が含まれている場合がある。例えば、有名なアニメのキャラクター画像を含むテンプレートデータが投稿された場合、そのようなテンプレートデータの投稿を拒否する。キャラクターを含むか否かについては、パターンマッチングの技術を用いて検出することができる。
【００４３】
また、ポルノ画像等の公序良俗に違反するような画像が含まれている場合も同様である。そのような画像は、例えば、特開２００８−３３６５６号公報に開示される技術により検出することができる。一般公衆からテンプレートの投稿を受け付ける場合、上記のような不正画像が含まれたテンプレートが投稿される可能性がある。テンプレートが投稿されるたびに、人手によりチェックするのは手間のかかる作業になる。そこで、上記のような機能を有する投稿可否判断部１３ｄを設けることで、不正なテンプレートを予め除外できるようにする。投稿可否判断部１３ｄにより、投稿が許可されたテンプレートのみが最終的にテンプレート保存部１２ｂに保存される。なお、投稿可否判断部１３ｄは、必ずしも必要ではなく、写真店のオペレータが目視で判断するようにしてもよい。
【００４４】
送信部１４は、データ入力部１０を介して入力された画像データやテンプレート用データ、注文データを管理用コンピュータ２にネットワーク経由で送信する。
【００４５】
次に、管理用コンピュータ２の機能を説明する。送受信部２０は、ネットワーク経由で受付端末１からの画像データ、テンプレート用データ、注文データ等を受信する。また、ネットワーク経由でプリント作成に必要なデータをプリンタ３へと送信する。
【００４６】
フォルダ２１は、受付端末１を介して入力されたテンプレート用データが一旦格納される専用のフォルダ（記憶部）である。管理用コンピュータ２を操作するオペレータは、フォルダ２１に格納されたテンプレート用データをモニター画面に表示させて、公序良俗の問題がないか、著作権違反の問題がないかなどをチェックする。受付端末１には、投稿可否判断部１３ｄの機能が設けられているが、この機能では完全にチェックできない部分をオペレータが目視でチェックする。また、受付端末１に投稿可否判断部１３ｄの機能が設けられていないバージョンの場合も、オペレータが目視でチェックする。
【００４７】
上記のように、最終的にオペレータによるチェックが行われ、著作権等の問題もなく利用可能になったテンプレートデータのみがテンプレート保存部１２ｂに保存される。
【００４８】
テンプレート加工部２２は、写真店が提供するテンプレートのフォーマットになるように、テンプレート用データを加工するための機能を提供する。テンプレート用データとして、単なる画像データでも投稿できるので、かかる画像データをテンプレートデータに加工する。このテンプレート加工部２２もテンプレートデータ処理部として機能する。
【００４９】
テンプレート加工部２２は、テンプレート作成プログラム（ソフトウェア）として提供できる。テンプレート作成プログラムは、ＣＤ−Ｒなどに格納して無償で提供することができる。あるいは、サーバー４に格納しておき、無料でダウンロードできるように構成してもよい。
【００５０】
利用回数カウント部２３は、テンプレートデータが写真プリントの注文に利用された場合、その回数をカウントする機能を有する。テンプレートの投稿を受け入れる場合、そのテンプレートを提供してくれた人に対して、何らかの見返りをすることが好ましい。前述の利用料要否設定部１３ｂで利用料の要求を設定した投稿者に対しては、利用回数カウント部２３の機能が用いられる。
【００５１】
演算部２４は、上記の利用回数カウント部２３のカウント結果に応じて、テンプレートの利用料を演算する機能を有する。例えば、１回の利用に対し○○円のように決めておく。演算結果は、テンプレート投稿者データベース２５に保存される。利用料データは、テンプレート毎に演算され、また、テンプレートの提供者ごとにデータが管理される。利用料の支払い方法等については、テンプレートの投稿時に予め決めておくことが好ましい。利用料は一律ではなく、利用回数に応じて変更してもよい。例えば、最初の１０回までは１円、それを超えると２円のように取り決めすることができる。
【００５２】
テンプレート投稿者データベース２５には、投稿者に関する情報が登録される。テンプレート用データを受け付ける場合には、その投稿者の個人情報（名前、住所、メールアドレス等）を含む種々のデータが登録される。識別情報付与部１３ｃにより付与された識別情報も登録される。また、その投稿者が投稿したテンプレート用データ、利用料の要否に関するデータ、利用料の受け取り形態、等もデータベースに登録される。
【００５３】
オーダーデータ保存部２６は、写真プリントの注文に係るオーダーデータが保存される。画像データやテンプレートデータについては、それぞれ画像データ保存部２７やテンプレート保存部１２ｂに保存されているので、ＩＤ（例えば、ファイル名等の識別情報）により紐付けする形でデータを保存することができる。オーダーデータは、例えば、注文に係る写真プリントの受け渡しが終了した時点で削除することができる。
【００５４】
また、利用回数について、同じテンプレートに基づく写真プリントの注文が複数枚された場合、利用回数もそのプリント枚数でカウントするようにできる。さらに、利用料の支払いではなく、有価証券やサービスポイント等を作成者に提供するようにしてもよい。例えば、カウント値が所定値たまった場合、図書券（図書カード）や商品券を提供したり、サービスポイントを提供することができる。サービスポイントの利用形態としては、写真プリントのプリント代金のために使用することができる。
【００５５】
＜テンプレート用データ投稿の手順＞
次に、投稿者が写真店を訪問してテンプレート用データを投稿する時の手順を図４のフローチャートにより説明する。
【００５６】
まず、投稿者は、受付端末１のモニター画面を見ながら、テンプレート用データを投稿するモードになるように設定する（Ｓ１）。これは、モード設定部１１の機能に基づいて行われる。次に、持参した記録媒体を受付端末１のデータ入力部１０に装着する（Ｓ２）。モニター画面上の操作ボタンをクリックするなどして、テンプレート用データを受付端末１内部に取り込む（Ｓ３）。
【００５７】
次に、利用料要否設定部１３ｂの機能に基づいて、利用料を要求するか否かの設定を行う（Ｓ４）。要求する場合は、利用料に関する設定を行う（Ｓ５）。例えば、利用料の種類（金銭か有価証券かなど）や受領方法（振り込み先の設定など）の設定を行う。また、識別情報付与部１３ｃの機能により識別情報が付与される。投稿者は、この識別情報を用いて、自分が投稿したテンプレート用データの利用状況を確認することができる。利用料を要求しない場合は、ステップＳ７に移行する。
【００５８】
次に、投稿可否判断部１３ｄの機能に基づいて、投稿可否の判断が行われる（Ｓ７）。前述のように、著作権違反がないかどうかのチェックが行われる。次に、テンプレート用データは、送信部１４を介してＬＡＮに送出され、管理用コンピュータ２のフォルダ２１に保存される（Ｓ８）。
【００５９】
なお、投稿可否判断部１３ｄで著作権違反等の問題があると判断された場合、その時点で投稿を拒否して、フォルダ２１にはテンプレート用データを送信しないような処理を行ってもよい。その場合は、受付端末１のモニター画面に、投稿が拒否された旨の表示が行われる。
【００６０】
著作権違反等の問題があると判断されたテンプレート用データをフォルダ２１に保存させる場合は、その旨のデータとともに保存させて、後にオペレータが再チェックするときに認識できるようにすることが好ましい。
【００６１】
＜テンプレート用データのチェック手順＞
次に、テンプレート用データのチェック手順について説明する。フォルダ２１に格納されたテンプレート用データのチェックを行う（Ｓ１０）。チェックの結果ＯＫであれば（Ｓ１１）、テンプレート用データの加工をする必要があるか否かを判断する（Ｓ１２）。加工の必要があれば、テンプレート用データの加工を行い、写真店の仕様にマッチした形のテンプレートデータにする（Ｓ１３）。単なる画像データであれば、テンプレート作成プログラムを用いて、嵌め込み領域の設定などを行い、テンプレートデータに加工する。
【００６２】
テンプレートデータの加工された後、利用可能なテンプレートデータとして、テンプレート保存部１２ｂに保存される（Ｓ１４）。また、サーバー４にもアップロードされる。テンプレート保存部１２ｂに保存された後、フォルダ２１内のテンプレート用データは削除される（Ｓ１５）。
【００６３】
ステップＳ１１において、テンプレート用データに著作権違反等の問題があり、ＯＫでなければ、テンプレートデータとして利用できないので、フォルダ２１からデータを削除する（Ｓ２０）。また、その旨の連絡を投稿者に対して行う（Ｓ２１）。
【００６４】
＜効果＞
本発明によれば、テンプレートの投稿を受付端末で受け付けるようにしたので、地域や国の特性・事情に応じたテンプレートを提供することができる。多様なテンプレートを提供可能にすることで、プリント注文の需要の増加を期待することができる。テンプレートの創作者には利用料を支払うこともできるので、オリジナルのテンプレートの創作意欲を掻き立てることができ、より優れたデザインを有するテンプレートの投稿も期待できるようになる。
【００６５】
＜別実施形態＞
写真店内に構築されるネットワークの形態については、種々の態様が考えられ、特定の形態に限定されるものではない。例えば、有線・無線、あるいはそれらの組み合わせにより行うことができる。図３において説明した各機能は、ソフトウェア及び／又はハードウェアにより構築することができる。どの機能をソフトウェアで実現するかハードウェアで実現するかについては、適宜設定することができる。
【００６６】
本実施形態において、テンプレート投稿システムを写真プリント注文システムに使用した例を説明したが、本発明は、これに限定されるものではない。テンプレートデータと画像データを合成した合成画像を写真プリント以外にも利用することができる。例えば、Ｔシャツ等の衣服へのプリントに利用できる。また、マグカップ、お皿等の食器へのプリントにも利用できる。合成画像がプリントされる対象は、特に写真プリント（ペーパー）限定されるものではない。
【００６７】
本発明に係るテンプレートデータ処理部の機能を図３のデータ処理部１２ｃ、テンプレート加工部２２を例示して説明したが、本発明は、これに限定されるものではない。例えば、テンプレートデータを写真処理のために行うデータ処理だけでなく、テンプレートデータそのものを商品と販売するために必要な処理、例えば、テンプレートデータを分類して画面表示させる機能を備えていてもよい。また、図３では、テンプレートデータ処理部の機能が受付端末１と管理用コンピュータ２に分散していたが、これをいずれか一方に集中配置してもよい。
【００６８】
図３に示す受付端末１と管理用コンピュータ２の機能の分担は、適宜変更することができる。例えば、テンプレート保存部１２ｂや投稿可否判断部１３ｄの機能を管理用コンピュータ２に設けてもよいし、フォルダ２１やテンプレート加工部２２の機能を受付端末１に設けてもよい。テンプレート保存部１２ｂを管理用コンピュータ２に設けることで、受付端末１のハードディスクの容量を確保し、受付端末１の負担軽減を図ることができる。
【００６９】
本実施形態では、テンプレートデータを用いたサービスとして、当該テンプレートデータと画像データとを嵌め込み合成した合成画像に基づいて、サービスの提供を行っている。本発明は、これに限定されるものではなく、投稿されたテンプレートそのものを商品（販売）の対象にしてもよい。この場合、テンプレートデータと画像データとの合成処理というものは特に行われない。ただし、写真プリント等のプリント注文と合わせてテンプレートの購入を行うことができるシステムとしてもよい。
【符号の説明】
【００７０】
１        受付端末
２        管理用コンピュータ
３        プリンタ
１０      データ入力部
１１      モード設定部
１２      プリント注文処理部
１２ａ    画像データ受付部
１２ｂ    テンプレート保存部
１２ｃ    データ処理部
１３      テンプレート用データ投稿処理部
１３ａ    テンプレート用データ受付部
１３ｂ    利用料要否設定部
１３ｃ    識別情報付与部
１３ｄ    投稿可否判断部
２１      フォルダ
２２      テンプレート加工部
２３      利用回数カウント部
２４      演算部
２５      テンプレートデータ投稿者データベース
【図１】
2011209922.tif 000003
【図２】
2011209922.tif 000004
【図３】
2011209922.tif 000005
【図４】
2011209922.tif 000006
【図５】
2011209922.tif 000007